(57)【要約】【課題】消費電力を抑えると共に、適切に用紙の枚数を算出することができる給紙装置を提供することである。【解決手段】用紙を載置可能であって、上下方向に移動可能な載置板３１を有し、所定の箇所に用紙を供給する給紙装置２３である。給紙装置２３は、載置板３１の上方側に配置され、載置板３１を停止させた位置において、載置板３１に載置された用紙３４のうち、上端の用紙３４ａの位置を検知する第一のセンサ３２と、載置板３１の下方側に配置され、載置板３１を停止させた位置において、載置板に載置された用紙３４のうち、下端の用紙３４ｂの位置を検知する第二のセンサ３３と、第一のセンサ３２により検知した上端の用紙３４ａの位置、および第二のセンサ３３により検知した下端の用紙３４ｂの位置により、載置板３１に載置された用紙の枚数を算出する枚数算出手段とを備える。【選択図】図２
2011057407.tif 000002
【特許請求の範囲】
【請求項１】
用紙を載置可能であって、上下方向に移動可能な載置板を有し、所定の箇所に用紙を供給する給紙装置であって、
前記載置板の上方側に配置され、前記載置板を停止させた位置において、前記載置板に載置された用紙のうち、上端の用紙の位置を検知する第一の検知手段と、
前記載置板の下方側に配置され、前記載置板を停止させた位置において、前記載置板に載置された用紙のうち、下端の用紙の位置を検知する第二の検知手段と、
前記第一の検知手段により検知した上端の用紙の位置、および前記第二の検知手段により検知した下端の用紙の位置により、前記載置板に載置された用紙の枚数を算出する枚数算出手段とを備える、給紙装置。
【請求項２】
前記検知手段は、前記載置板に載置された用紙に光を照射する照射手段と、前記照射手段により照射された光が用紙で反射することにより、その反射光を受光する受光手段とを含み、前記受光手段により受光した反射光に基づいて用紙の位置を検知する、請求項１に記載の給紙装置。
【請求項３】
前記載置板のうち、前記照射手段により光を照射される位置に対応する部分には、上下方向に貫通する貫通孔が設けられている、請求項２に記載の給紙装置。
【請求項４】
前記貫通孔は、前記第一の検知手段により光を照射される位置に対応する部分に設けられる第一の貫通孔と、前記第一の貫通孔とは異なり、前記第二の検知手段により光を照射される位置に対応する部分に設けられる第二の貫通孔とを含む、請求項３に記載の給紙装置。
【請求項５】
前記載置板に載置された用紙のうち、上端の用紙の上面に当接して、順次用紙を１枚ずつピックアップするピックアップローラを備え、
前記載置板を停止させた位置は、前記載置板に載置された用紙のうち、上端の用紙の上面を前記ピックアップローラに当接させた位置である、請求項１〜４のいずれかに記載の給紙装置。
【請求項６】
前記載置板の下方側には、固定された固定部が設けられており、
前記載置板を停止させた位置は、前記載置板の下面を前記固定部に当接させた位置である、請求項１〜５のいずれかに記載の給紙装置。
【請求項７】
用紙に画像を形成する画像形成部と、前記画像形成部に用紙を供給する給紙装置とを備える画像形成装置であって、
前記給紙装置は、
用紙を載置可能であって、上下方向に移動可能な載置板を有し、
前記載置板の上方側に配置され、前記載置板を停止させた位置において、前記載置板に載置された用紙のうち、上端の用紙の位置を検知する第一の検知手段と、
前記載置板の下方側に配置され、前記載置板を停止させた位置において、前記載置板に載置された用紙のうち、下端の用紙の位置を検知する第二の検知手段と、
前記第一の検知手段により検知した上端の用紙の位置、および前記第二の検知手段により検知した下端の用紙の位置により、前記載置板に載置された用紙の枚数を算出する枚数算出手段とを備える、画像形成装置。
【発明の詳細な説明】
【技術分野】
【０００１】
この発明は、給紙装置および画像形成装置に関するものであって、特に、用紙の枚数を算出することが可能な給紙装置、およびこのような給紙装置を備える画像形成装置に関するものである。
【背景技術】
【０００２】
画像形成装置には、用紙に画像を形成する画像形成部に用紙を供給する給紙装置が設けられている。給紙装置は、予め用紙カセット内に用紙を格納しており、用紙カセット内から画像形成部に向けて用紙を１枚ずつ供給する。
【０００３】
また、画像形成装置においては、用紙カセット内に載置板を設けることにより、載置板上に用紙を載置して格納する給紙装置を備えるものがある。この場合、載置板は、上下方向に移動可能であって、給紙装置は、載置板を下方側に移動させた後、ユーザによって載置板上に用紙を載置して格納される。その後、載置板を上方側に移動させることにより、その移動距離を測定して、載置板上に載置された用紙の枚数を算出することとしている。この載置板の移動は、例えば、モータを駆動することによって行われる。
【０００４】
また、載置板上に載置された用紙の枚数を算出する他の技術としては、例えば、特開平２−７０６２７号公報（特許文献１）、特開平６−３３６３５２号公報（特許文献２）、および特開２００３−１９２１８９号公報（特許文献３）に開示されている。
【０００５】
特許文献１によると、載置された用紙の上端の位置を検知する上端位置検知センサと、載置板下方側の所定の位置から載置された用紙の下端までの距離を測定する距離センサとを用いて、上端位置検知センサにより用紙の上端の位置を検知すると、距離センサにより用紙の下端までの距離を測定して、用紙の枚数を算出することとしている。
【０００６】
また、特許文献２によると、載置された用紙の最上面（上端）に向けて光を照射し、最上面で反射した反射光を受光素子にスポット光として入射させ、スポット光の入射位置に応じて、用紙の枚数を算出することとしている。
【０００７】
また、特許文献３によると、載置板上方側の所定の位置から用紙の上端までの距離、および用紙の下端までの距離を測定し、その差分を算出することにより、用紙の枚数を算出することとしている。
【先行技術文献】
【特許文献】
【０００８】
【特許文献１】特開平２−７０６２７号公報
【特許文献２】特開平６−３３６３５２号公報
【特許文献３】特開２００３−１９２１８９号公報
【発明の概要】
【発明が解決しようとする課題】
【０００９】
ここで、昨今の画像形成装置においては、消費電力節約の観点から、なるべく消費電力を抑えて、画像形成に関する動作を行えることが好ましい。しかし、上記したような画像形成装置では、用紙の枚数を算出する際においても、モータを駆動して載置板を移動させる必要があるため、電力を無駄に消費してしまう。特にスリープモード時に、用紙の枚数の算出のために、わざわざモータを駆動することは好ましくない。
【００１０】
また、特許文献１に開示の技術においても、用紙の枚数を算出する際に、用紙の上端が上端位置検知センサから離れた位置にある場合には、用紙の上端を上端位置検知センサの位置まで移動させる必要がある。
【００１１】
また、特許文献２に開示の技術では、用紙の最上面の位置のみを検知するため、載置板が移動可能なタイプの給紙装置には、適用することができない。
【００１２】
また、特許文献３に開示の技術では、用紙の上端までの距離および用紙の下端までの距離の両方を、載置板上方側の所定の位置から測定するため、載置板上に載置された用紙が整列されておらず、バラバラな状態の場合には、正確に測定することが困難である。
【００１３】
この発明の目的は、消費電力を抑えると共に、適切に用紙の枚数を算出することができる給紙装置を提供することである。
【００１４】
また、この発明の他の目的は、消費電力を抑えると共に、適切に用紙の枚数を算出することができる画像形成装置を提供することである。
【課題を解決するための手段】
【００１５】
この発明に係る給紙装置は、用紙を載置可能であって、上下方向に移動可能な載置板を有し、所定の箇所に用紙を供給する給紙装置であって、載置板の上方側に配置され、載置板を停止させた位置において、載置板に載置された用紙のうち、上端の用紙の位置を検知する第一の検知手段と、載置板の下方側に配置され、載置板を停止させた位置において、載置板に載置された用紙のうち、下端の用紙の位置を検知する第二の検知手段と、第一の検知手段により検知した上端の用紙の位置、および第二の検知手段により検知した下端の用紙の位置により、載置板に載置された用紙の枚数を算出する枚数算出手段とを備える。
【００１６】
好ましくは、検知手段は、載置板に載置された用紙に光を照射する照射手段と、照射手段により照射された光が用紙で反射することにより、その反射光を受光する受光手段とを含み、受光手段により受光した反射光に基づいて用紙の位置を検知する。
【００１７】
さらに好ましくは、載置板のうち、照射手段により光を照射される位置に対応する部分には、上下方向に貫通する貫通孔が設けられている。
【００１８】
さらに好ましくは、貫通孔は、第一の検知手段により光を照射される位置に対応する部分に設けられる第一の貫通孔と、第一の貫通孔とは異なり、第二の検知手段により光を照射される位置に対応する部分に設けられる第二の貫通孔とを含む。
【００１９】
さらに好ましくは、載置板に載置された用紙のうち、上端の用紙の上面に当接して、順次用紙を１枚ずつピックアップするピックアップローラを備え、載置板を停止させた位置は、載置板に載置された用紙のうち、上端の用紙の上面をピックアップローラに当接させた位置である。
【００２０】
さらに好ましくは、載置板の下方側には、固定された固定部が設けられており、載置板を停止させた位置は、載置板の下面を固定部に当接させた位置である。
【００２１】
この発明の他の局面においては、用紙に画像を形成する画像形成部と、画像形成部に用紙を供給する給紙装置とを備える画像形成装置に関する。給紙装置は、用紙を載置可能であって、上下方向に移動可能な載置板を有し、載置板の上方側に配置され、載置板を停止させた位置において、載置板に載置された用紙のうち、上端の用紙の位置を検知する第一の検知手段と、載置板の下方側に配置され、載置板を停止させた位置において、載置板に載置された用紙のうち、下端の用紙の位置を検知する第二の検知手段と、第一の検知手段により検知した上端の用紙の位置、および第二の検知手段により検知した下端の用紙の位置により、載置板に載置された用紙の枚数を算出する枚数算出手段とを備える。
【発明の効果】
【００２２】
この発明に係る給紙装置は、移動可能な載置板を停止させた位置において、検知した上端の用紙の位置と下端の用紙の位置とにより、載置板に載置された用紙の枚数を算出する。したがって、用紙の枚数を算出する際には、モータを駆動させて載置板を移動させる必要もない。また、載置板の上方側から上端の用紙の位置、および載置板の下方側から下端の用紙の位置を検知するため、例えば、用紙が整列されていない状態であっても、適切に用紙の枚数を算出することができる。その結果、消費電力を抑えると共に、適切に用紙の枚数を算出することができる。
【００２３】
また、この発明に係る画像形成装置は、給紙装置において、移動可能な載置板を停止させた位置において、検知した上端の用紙の位置と下端の用紙の位置とにより、載置板に載置された用紙の枚数を算出する。したがって、用紙の枚数を算出する際には、モータを駆動させて載置板を移動させる必要もない。また、載置板の上方側から上端の用紙の位置、および載置板の下方側から下端の用紙の位置を検知するため、例えば、用紙が整列されていない状態であっても、適切に用紙の枚数を算出することができる。その結果、消費電力を抑えると共に、適切に用紙の枚数を算出することができる。
【図面の簡単な説明】
【００２４】
【図１】この発明の一実施形態に係る画像形成装置をデジタル複合機に適用した場合のデジタル複合機の構成を示すブロック図である。
【図２】給紙装置の一部を示す断面概略図である。
【図３】リフト板の下面を固定部に当接させた状態を示す図である。
【図４】スリープモードで作動している場合に、リフト板上に載置された用紙の枚数を算出する場合の制御部の動作について示すフローチャートである。
【図５】用紙が載置されていない状態を示す図である。
【図６】通常モードで作動している場合に、リフト板上に載置された用紙の枚数を算出する場合の制御部の動作について示すフローチャートである。
【図７】用紙が載置されていない状態を示す図である。
【発明を実施するための形態】
【００２５】
以下、図面を参照して、この発明の一実施形態に係る給紙装置および画像形成装置について説明する。図１は、この発明の一実施形態に係る画像形成装置をデジタル複合機１０に適用した場合のデジタル複合機１０の構成を示すブロック図である。デジタル複合機１０は、この発明の一実施形態に係る給紙装置２３を含む構成である。
【００２６】
図１を参照して、デジタル複合機１０は、デジタル複合機１０全体を制御する制御部１１と、画像データ等の書込みや読出しを行うためのＤＲＡＭ１２と、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置においてスキャナで読取る画像読取り部１５と、加熱することにより用紙に画像を定着させる定着ローラ等を含み、画像読取り部１５で読取られた原稿等から用紙に画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９と、画像形成部１６に用紙を供給する給紙装置２３とを備える。
【００２７】
デジタル複合機１０は、画像読取り部１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取られた原稿の画像データを、ＦＡＸ通信部１８を通じて公衆回線２０に画像データを送信することにより、ファクシミリ装置として作動する。すなわち、デジタル複合機１０は、画像処理に関し、複写（コピー）機能、プリンター機能、ＦＡＸ機能等、複数の機能を有する。さらに、各機能に対しても、詳細に設定可能な機能を有する。
【００２８】
また、デジタル複合機１０は、通常モードと、スリープモードとを有する構成である。通常モードとは、例えば、定着ローラの温度がトナー等の現像剤の定着に適切な温度で保たれているため、画像形成の要求を受け付けると、直ちに画像の形成を行うことができる状態であることを言う。したがって、消費電力の大きいモードである。
【００２９】
一方、スリープモードとは、例えば、定着ローラの温度が室温よりも高いが通常モードよりも低く保たれているため、画像形成の要求を受け付けると、直ちに画像の形成を行うことができず、定着ローラを加熱して適切な温度とするまでの時間を必要とする状態であることを言う。したがって、通常モードよりも消費電力の小さいモードである。
【００３０】
なお、図１において、太線の矢印は画像データの流れを示しており、細線の矢印は制御信号または制御データの流れを示している。
【００３１】
図２は、給紙装置２３の一部を示す断面概略図である。図２を参照して、給紙装置２３について説明する。給紙装置２３は、用紙３４を格納する用紙カセット３０と、用紙カセット３０の内部に配置され、その上に複数枚の用紙３４を積層するようにして載置される載置板としてのリフト板３１と、リフト板３１の上方側に配置される第一のセンサ３２と、リフト板３１の下方側に配置される第二のセンサ３３と、リフト板３１上に載置された用紙３４のうち、上端の用紙３４ａの上面に当接して、順次用紙を１枚ずつピックアップするピックアップローラ３５とを備える。
【００３２】
用紙カセット３０は、その内部に用紙３４を格納される。例えば、ユーザにより用紙カセット３０をデジタル複合機１０から引き出されることにより、その内部に用紙３４を格納される。
【００３３】
リフト板３１は、用紙カセット３０の内部に配置され、その上に複数枚の用紙３４を積層するようにして載置される。これにより、用紙カセット３０の内部に用紙３４を格納される。また、リフト板３１の上方側には、ピックアップローラ３５が配置され、リフト板３１上に載置された用紙３４は、ピックアップローラ３５により、画像形成部１６に向けて１枚ずつ供給される。また、リフト板３１の下方側には、例えば給紙装置２３の一部であって、固定された固定部３６が配置されている。
【００３４】
リフト板３１は、上下方向に移動可能である。ここで、上下方向とは、図２中の矢印Ａで示す方向およびその逆の方向であって、鉛直上方側および鉛直下方側である。また、リフト板３１を停止させた位置は、図２に示すように、リフト板３１上に載置された用紙３４のうち、上端の用紙３４ａの上面をピックアップローラ３５に当接させた位置である。この場合、上端の用紙３４ａの位置が、固定された状態となる。また、ユーザにより用紙３４を格納される際には、リフト板３１を停止させた位置は、リフト板３１の下面を固定部３６に当接させた位置である。なお、図３で、リフト板３１の下面を固定部３６に当接させた状態を示している。この場合、下端の用紙３４ｂの位置が、固定された状態となる。ここで、リフト板３１を停止させた位置のうち、上端の用紙３４ａの上面をピックアップローラ３５に当接させた位置を第一の位置とし、リフト板３１の下面を固定部３６に当接させた位置を第二の位置とする。リフト板３１は、第二の位置にてユーザにより用紙３４を格納された後、モータ（図示せず）によって第一の位置に移動される。
【００３５】
また、リフト板３１には、上下方向に貫通する第一の貫通孔３１ａと第二の貫通孔３１ｂとが設けられている。詳細については後述する。
【００３６】
第一のセンサ３２は、ピックアップローラ３５の近傍に設けられている。そして、リフト板３１の上方側から上端の用紙３４ａに向けて光を照射し、照射された光が上端の用紙３４ａで反射することにより、その反射光に基づいて、リフト板３１上に載置された用紙のうち、上端の用紙３４ａの位置を検知する。ここで、第一のセンサ３２は、照射手段および受光手段として作動する。また、第一の貫通孔３１ａは、リフト板３１のうち、第一のセンサ３２により光を照射される位置に対応する部分に設けられている。ここで、第一のセンサ３２は、第一の検知手段として作動する。
【００３７】
また、第二のセンサ３３は、リフト板３１の下方側から下端の用紙３４ｂに向けて光を照射することにより、リフト板３１上に載置された用紙のうち、下端の用紙３４ｂの位置を検知する。また、第二の貫通孔３１ｂは、第一の貫通孔３１ａとは異なり、リフト板３１のうち、第二のセンサ３３により光を照射される位置に対応する部分に設けられている。ここで、第二のセンサ３３は、第二の検知手段として作動する。
【００３８】
なお、センサ３２，３３は、これに限らず、距離を検知する超音波センサであってもよい。この場合、貫通孔３１ａ，３１ｂは、超音波が出力される位置に対応する部分に設けられる。
【００３９】
ここで、デジタル複合機１０がスリープモードで作動している場合に、リフト板３１上に載置された用紙３４の枚数を算出する場合について説明する。図４は、スリープモードで作動している場合に、リフト板３１上に載置された用紙３４の枚数を算出する場合の制御部１１の動作について示すフローチャートである。図１〜図４を参照して説明する。
【００４０】
まず、デジタル複合機１０は、スリープモードで作動しており（図４において、ステップＳ１１、以下、ステップを省略する）、ユーザによりカセット３０をデジタル複合機１０から引き出される（Ｓ１２）。このとき、リフト板３１は、ユーザにより用紙を格納させるため、第二の位置にて停止している（Ｓ１３）。そして、ユーザにより用紙３４を格納され、カセット３０をデジタル複合機１０に押し戻される（Ｓ１４）。
【００４１】
そうすると、デジタル複合機１０は、スリープモード中であることから、リフト板３１を移動させることなく、第二の位置にて停止したまま、リフト板３１上の用紙３４の枚数を算出する。
【００４２】
具体的には、図３に示すように、第一のセンサ３２を用いて、リフト板３１上に載置された用紙のうち、上端の用紙３４ａの位置を検知する（Ｓ１５）。そして、上端の用紙３４ａの位置を検知すると（Ｓ１５において、ＹＥＳ）、リフト板３１上に載置された用紙３４の枚数を算出する。例えば、Ｓ１５において、上端の用紙３４ａの位置として、第一のセンサ３２から上端の用紙３４ａまでの距離Ａを検知する。また、リフト板３１が第二の位置にて停止している場合、下端の用紙３４ｂの位置が固定されていることから、第一のセンサ３２から下端の用紙３４ｂまでの距離ａを予めハードディスク１７等に記憶しておくことにより、距離Ａおよび距離ａの差分から、用紙３４の枚数を算出する（Ｓ１６）。ここで、制御部１１は、枚数算出手段として作動する。
【００４３】
上端の用紙３４ａを検知できない場合には（Ｓ１５において、ＮＯ）、図５に示すように、第一のセンサ３２から照射された光は、第一の貫通孔３１ａを通過していることとなる。また、第二のセンサ３３においても、第二の貫通孔３１ｂを通過していることとなる。これにより、リフト板３１上に載置されている用紙は０枚と算出する（Ｓ１７）。なお、図５は、用紙３４が載置されていない状態を示す図である。
【００４４】
次に、デジタル複合機１０が通常モードで作動している場合に、リフト板３１上に載置された用紙の枚数を算出する場合について説明する。図６は、通常モードで作動している場合に、リフト板３１上に載置された用紙の枚数を算出する場合の制御部１１の動作について示すフローチャートである。図１〜図６を参照して説明する。
【００４５】
まず、デジタル複合機１０は、通常モードで作動している（Ｓ２１）。このとき、リフト板３１は、第一の位置にて停止している（Ｓ２２）。そして、リフト板３１上の用紙３４の枚数を算出する。
【００４６】
具体的には、図２に示すように、第二のセンサ３３を用いて、リフト板３１上に載置された用紙３４のうち、下端の用紙３４ｂの位置を検知する（Ｓ２３）。そして、下端の用紙３４ｂの位置を検知すると（Ｓ２３において、ＹＥＳ）、リフト板３１上に載置された用紙３４の枚数を算出する。例えば、Ｓ２３において、下端の用紙３４ｂの位置として、第二のセンサ３３から下端の用紙３４ｂまでの距離Ｂを検知する。また、リフト板３１が第一の位置にて停止している場合、上端の用紙３４ａの位置が固定されていることから、第二のセンサ３３から上端の用紙３４ａまでの距離ｂを予めハードディスク１７等に記憶しておくことにより、距離Ｂおよび距離ｂの差分から、用紙３４の枚数を算出する（Ｓ２４）。
【００４７】
下端の用紙３４ｂを検知できない場合には（Ｓ２３において、ＮＯ）、図７に示すように、第一のセンサ３２から照射された光は、第一の貫通孔３１ａを通過していることとなる。また、第二のセンサ３３においても、第二の貫通孔３１ｂを通過していることとなる。これにより、リフト板３１上に載置されている用紙は０枚と算出する（Ｓ２５）。なお、図７は、用紙３４が載置されていない状態を示す図である。
【００４８】
このようにして、給紙装置２３は、移動可能な載置板３１を停止させた位置において、検知した上端の用紙３４ａの位置と下端の用紙３４ｂの位置とにより、載置板３１に載置された用紙の枚数を算出する。したがって、用紙の枚数を算出する際には、モータを駆動させて載置板３１を移動させる必要もない。また、載置板３１の上方側から上端の用紙３４ａの位置、および載置板３１の下方側から下端の用紙３４ｂの位置を検知するため、例えば、用紙が整列されていない状態であっても、適切に用紙の枚数を算出することができる。その結果、消費電力を抑えると共に、適切に用紙の枚数を算出することができる。
【００４９】
特に、スリープモード時に、モータを駆動させることなく、用紙の枚数を算出することができるため、より消費電力を抑えることができる。
【００５０】
また、リフト板３１に第一および第二の貫通孔３１ａ，３１ｂを設けたことにより、用紙が０枚であることを正確に算出することができる。
【００５１】
また、このような給紙装置２３を備えるデジタル複合機１０は、給紙装置２３において、移動可能な載置板３１を停止させた位置において、検知した上端の用紙３４ａの位置と下端の用紙３４ｂの位置とにより、載置板３１に載置された用紙の枚数を算出する。したがって、用紙の枚数を算出する際には、モータを駆動させて載置板３１を移動させる必要もない。また、載置板３１の上方側から上端の用紙３４ａの位置、および載置板３１の下方側から下端の用紙３４ｂの位置を検知するため、例えば、用紙が整列されていない状態であっても、適切に用紙の枚数を算出することができる。その結果、消費電力を抑えると共に、適切に用紙の枚数を算出することができる。
【００５２】
なお、上記の実施の形態においては、Ｓ１６において、用紙の枚数を算出する際に、距離ａを予めハードディスク１７等に記憶しておくことにより、距離Ａおよび距離ａの差分から、用紙の枚数を算出する例について説明したが、これに限ることなく、第二のセンサ３３から下端の用紙３４ｂまでの距離を検知することにより、用紙の枚数を算出してもよい。
【００５３】
また、Ｓ２４においても同様であって、距離ｂを予めハードディスク１７等に記憶しておくことなく、第一のセンサ３２から上端の用紙３４ａまでの距離を検知することにより、用紙の枚数を算出してもよい。
【００５４】
また、上記の実施の形態においては、リフト板３１が第一の位置または第二の位置に停止されている場合において、用紙の枚数を算出する例について説明したが、これに限ることなく、第一の位置または第二の位置以外の停止させた位置であってもよい。
【００５５】
また、上記の実施の形態においては、リフト板３１に第一の貫通孔３１ａおよび第二の貫通孔３１ｂを設けることにより、用紙の枚数を０枚と算出する例について説明したが、例えば、リフト板３１が透明な板である場合には、第一の貫通孔３１ａおよび第二の貫通孔３１ｂを設けなくてもよい。
【００５６】
また、上記の実施の形態においては、第一の貫通孔３１ａと第二の貫通孔３１ｂと、２つを設ける例について説明したが、これに限ることなく、第一のセンサ３２および第二のセンサ３３から出力される光等に対応する１つの孔を設けてもよい。
【００５７】
また、上記の実施の形態においては、給紙装置２３は、デジタル複合機１０の制御部１１によって制御される例について説明したが、これに限ることなく、給紙装置２３内で制御部を備える構成とし、給紙装置２３内の制御部によって制御されてもよい。この場合、給紙装置は、所定の箇所に用紙を供給する。
【００５８】
また、上記の実施の形態においては、給紙装置２３は、用紙をリフト板３１上に載置し、リフト板３１は、上下方向に移動可能である例について説明したが、これに限ることなく、リフト板３１は横方向、すなわち、鉛直上方側および鉛直下方側に垂直な方向に移動可能である場合にも適用することができる。この場合、用紙は、横方向に重ねて用紙カセット３０内に格納される。
【００５９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００６０】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  給紙装置、３０  カセット、３１  リフト板、３１ａ，３１ｂ  貫通孔、３２，３３  センサ、３４  用紙、３４ａ  上端の用紙、３４ｂ  下端の用紙、３５  ピックアップローラ、３６  固定部。
【図１】
2011057407.tif 000003
【図２】
2011057407.tif 000004
【図３】
2011057407.tif 000005
【図４】
2011057407.tif 000006
【図５】
2011057407.tif 000007
【図６】
2011057407.tif 000008
【図７】
2011057407.tif 000009